(57)【要約】【課題】発生するモード形状のバランス（振動のバランス）を調整し、音質を改善する。【解決手段】エレクトリックギターのボディ１は、ソリッドボディからなり、凹部２１が形成されたボディ本体２と、前記凹部２１の内側面のうち、互いに離れて位置する二つ以上の接触領域に接触して前記凹部の剛性を補強する凹部剛性補強材３１と、を備える。もしくは、エレクトリックギターのボディ１は、ソリッドボディからなり、凸部２９が形成されたボディ本体２と、第一の端部と第二の端部とを有し、前記ボディ本体に取り付けられる凸部剛性補強材とを、備え、前記第一の端部は、前記凸部２９と前記ボディ本体の他の部分との接続部分に固定されている。【選択図】図１
2018155814.tif 000002
【特許請求の範囲】
【請求項１】
ソリッドボディからなり、凹部が形成されたボディ本体と、
前記凹部の内側面のうち、互いに離れて位置する二つ以上の接触領域に接触して前記凹部の剛性を補強する凹部剛性補強材と、を備える、
エレクトリックギターのボディ。
【請求項２】
二つの前記接触領域の配列方向が、前記凹部の内側面において互いに対向する二つの領域の間の距離が最も長くなる前記二つの領域の配列方向に直交する方向である、
請求項１に記載のエレクトリックギターのボディ。
【請求項３】
前記凹部は、エレクトリックギターの電装品を格納する電装座繰りである、
請求項１または請求項２に記載のエレクトリックギターのボディ。
【請求項４】
ソリッドボディからなり、凸部が形成されたボディ本体と、
第一の端部と第二の端部とを有し、前記ボディ本体に取り付けられる凸部剛性補強材とを、備え、
前記第一の端部は、前記凸部と前記ボディ本体の他の部分との接続部分に固定されている、
エレクトリックギターのボディ。
【請求項５】
前記第一の端部と前記第二の端部とは、前記ボディ本体の板厚方向と直交する方向の前記ボディ本体の中心軸を挟んで互いに反対側に配置される、
請求項４に記載のエレクトリックギターのボディ。
【請求項６】
前記凸部は、ストラップピンが取り付けられる取付部である、
請求項４または請求項５に記載のエレクトリックギターのボディ。
【請求項７】
ソリッドボディからなるボディ本体と、
第一の端部と第二の端部とを有し、前記ボディ本体に取り付けられる曲げ剛性補強材とを、備え、
前記第一の端部と前記第二の端部は、エレクトリックギターの弦が張られる張弦方向と直交する方向に配列される、
エレクトリックギターのボディ。
【請求項８】
請求項１から請求項７のいずれか一項に記載された前記ボディを備えた、
エレクトリックギター。
【発明の詳細な説明】
【技術分野】
【０００１】
本発明は、弦の振動特性を改善することができるエレクトリックギターのボディ、および同ボディを備えるエレクトリックギターに関する。
【背景技術】
【０００２】
エレクトリックギターでは、電磁ピックアップにより、弦の振動を電磁誘導により電気信号に変換する。変換された電気信号はアンプにより増幅されてスピーカーから音として出力される。
【０００３】
エレクトリックギターの弦の振動は、エレクトリックギターのボディやネックにも伝達される。ボディやネックを振動させるために弦の振動エネルギーは消費されて、弦の振動は減衰する。このように、ボディやネックは、弦の振動やエレクトリックギターの音質に影響を与える。
【０００４】
エレクトリックギターのボディには、内部に空洞の無いリッドボディが多く用いられている。ソリッドボディであるエレクトリックギターのボディには、ネックを接合する部分（以降、「ネックポケット」と称す）や、電装品を格納するための電装座繰りなどの凹部が形成される。また、エレクトリックギターを弾きやすくするためにボディの一部を削り取るカッタウェイ処理が施され、削り取られずに残った部分が凸部としてボディに形成されることが多い。そのため、エレクトリックギターのボディには凹凸部が多く形成される。
【０００５】
エレクトリックギターのボディに伝達された振動が、ボディ全体にバランスよく伝達されると、ボディに豊かな振動を生み出すことができ、弦やブリッジ（弦をボディに取り付ける部分）にその振動をフィードバックすることができる。
【０００６】
エレクトリックギターのボディには、ボディの構造（形状、材質等）が持つ振動的な特性である振動モードが励起する。振動モードに対応する固有振動数で振動した場合のボディの変形形状を示す「モード形状」のバランスを解析することにより、ボディ全体にバランスよい振動が発生するかを調査することができる。例えば、振動の変位が大きい箇所がボディの一部に偏っている場合、振動のバランスがよいとはいえない。
【先行技術文献】
【特許文献】
【０００７】
【特許文献１】米国特許第４８２９８７０号明細書
【発明の概要】
【発明が解決しようとする課題】
【０００８】
エレクトリックギターのボディにおいては、上記凹凸部によって局所的に剛性が低くなる箇所が現われる。ボディのうち剛性が低い箇所は他の箇所よりも振動の影響を受けやすいため、振動の変位が大きくなりやすい。その結果、ボディ全体のモード形状のバランス（振動のバランス）が悪化する。この場合、弦の振動が早く減衰したり、弦の振動の振幅が弦を弾いた後すぐに大きくならなかったりする。
【０００９】
また、その振動モードにおける固有振動数の定在波の節となる位置にブリッジやネックポケットが配されると、弦の振動がボディに伝達されにくい。その結果、ボディに豊かな振動を生み出して、その振動を弦にフィードバックすることができない。
特許文献１には、ボディに金属板を固定し、音質を改善したエレクトリックギターが記載されている。しかしながら、特許文献１に記載の金属板は、ボディに発生する振動に影響を与えることが目的であったが、ボディに発生するモード形状のバランス（振動のバランス）を調整することが目的ではなかった。
【００１０】
本発明は、上記の事情に鑑みなされたもので、発生するモード形状のバランス（振動のバランス）を調整し、音質を改善することができるエレクトリックギターのボディ、および同ボディを備えるエレクトリックギターを提供することを目的とする。
【課題を解決するための手段】
【００１１】
上記課題を解決するために、この発明は以下の手段を提案している。
本発明に係るエレクトリックギターのボディは、ソリッドボディからなり、凹部が形成されたボディ本体と、前記凹部の内側面のうち、互いに離れて位置する二つ以上の接触領域に接触して前記凹部の剛性を補強する凹部剛性補強材と、を備える。
【００１２】
本発明に係るエレクトリックギターのボディは、ソリッドボディからなり、凸部が形成されたボディ本体と、第一の端部と第二の端部とを有し、前記ボディ本体に取り付けられる凸部剛性補強材とを、備え、前記第一の端部は、前記凸部と前記ボディ本体の他の部分との接続部分に固定されている。
【００１３】
本発明に係るエレクトリックギターのボディは、ソリッドボディからなるボディ本体と、第一の端部と第二の端部とを有し、前記ボディ本体に取り付けられる曲げ剛性補強材とを、備え、前記第一の端部と前記第二の端部は、エレクトリックギターの弦が張られる張弦方向と直交する方向に配列される。
【００１４】
本発明に係るエレクトリックギターは、上記のいずれかのボディを備える。
【発明の効果】
【００１５】
本発明によれば、エレクトリックギターのボディにおいて、発生するモード形状のバランス（振動のバランス）を調整し、音質を改善することができる。
【図面の簡単な説明】
【００１６】
【図１】本発明の一実施形態に係るエレクトリックギターのボディの平面図である。
【図２】図１のボディを異なる方向から見た平面図である。
【図３】本発明の一実施形態に係るエレクトリックギターの平面図である。
【図４】図１および図２のボディにおけるモード形状の解析結果である。
【図５】図１および図２のボディにおけるモード形状の解析結果である。
【図６】図１および図２のボディにおけるモード形状の解析結果である。
【発明を実施するための形態】
【００１７】
以下、本発明に係るエレクトリックギターのボディ、および同ボディを備えたエレクトリックギターの一実施形態を、図１から図３を参照しながら説明する。なお、図面を見やすくするため、各構成要素の厚さや寸法の比率は適宜調整されている。
【００１８】
図１は本実施形態に係るエレクトリックギターのボディ１を、ボディ１の板厚方向（Ｚ軸方向）に対して直交する一方の面（表面２ａ）から見た平面図である。図２は、ボディ１の表面２ａの反対面である他方の面（裏面２ｂ）から見た平面図である。図３は、ボディ１を備えるエレクトリックギター１０をボディ１の表面２ａから見た平面図である。
【００１９】
図１および図２に示すように、本実施形態に係るボディ１は、ボディ本体２と、電装座繰り用剛性補強材３１（凹部剛性補強材）と、凸部剛性補強材３２を、備えている。
【００２０】
図３に示すように、エレクトリックギター１０は、ボディ１と、ネック４と、弦５と、を備えている。長尺形状のネック４の基端が、後述するボディ１のネック座繰り２３（ネックポケット）に挿入されて、接合されている。弦５は、ネックの長手方向（張弦方向、Ｘ軸方向）に沿って張られる。
【００２１】
ボディ本体２は、内部に空洞の無いソリッドボディからなる。ボディ本体２の材質は、アルダー、メイプル、マホガニー等の木材である。２つ以上の違った木材を組み合わせて使用されることもある。ボディ本体２は、板状に形成されている。
【００２２】
図１および図２に示すように、ボディ本体２には、電装座繰り２１、電磁ピックアップ座繰り２２、ネック座繰り２３、ブリッジ座繰り２４、ジャック座繰り２５などの複数の座繰り（凹部、格納部）が形成されている。ブリッジ座繰り２４のみボディ本体２を貫通しており、他の座繰りは、ボディ本体２を貫通していない。
【００２３】
電装座繰り２１は、エレクトリックギター１０の電磁ピックアップ６１（図３参照）が出力する音響信号のボリュームやトーン等を調整するコントローラなどの電装品を格納するための座繰りである。電装座繰り２１は、ボディ本体２の表面２ａにおいて、板厚方向（Ｚ軸方向）に開口している。
コントローラには、図３に示すように、三個のボリュームスイッチ６２と、有効化する電磁ピックアップ６１を切り替えるピックアップセレクター６３とが含まれる。
【００２４】
電磁ピックアップ座繰り２２は、電磁ピックアップ６１を格納するための座繰りである。電磁ピックアップ座繰り２２は、ボディ本体２の表面２ａにおいて、板厚方向（Ｚ軸方向）に開口している。電磁ピックアップ座繰り２２には、シングルコイル・ピックアップや、ハムバッキング・ピックアップなどの種類の電磁ピックアップ６１を複数格納できる。電磁ピックアップ座繰り２２は、張弦方向（Ｘ軸方向）に並べて配置される。本実施形態のボディ本体２には、シングルコイル・ピックアップを三個並べて配置できるように電磁ピックアップ座繰り２２が形成されている。
【００２５】
ネック座繰り２３は、ボディ本体２に長尺形状のネック４の基端を格納して接合するための座繰りである。ネック座繰り２３は、ボディ本体２の表面２ａにおいて、板厚方向（Ｚ軸方向）に開口しているととともに、ボディ本体２の側面において、張弦方向（Ｘ軸方向）にも開口している。
ネック座繰り２３は、板厚方向（Ｚ軸方向）および張弦方向（Ｘ軸方向）に直交するＹ軸方向において、ボディ本体２の中央部分に形成されている。また、ネック座繰り２３は、電磁ピックアップ座繰り２２と共に張弦方向（Ｘ軸方向）に並べて配置される。
ネック座繰り２３にはネック４の基端が挿入される。そのうえで、ネック４はボディ本体２に対してジョイントねじや接着剤等で接合することでボディ本体２に取り付けられる。
【００２６】
ブリッジ座繰り２４は、弦５の基端部を固定するブリッジ６５（図３参照）を格納するための座繰りである。また、ブリッジ座繰り２４は、ネック座繰り２３および電磁ピックアップ座繰り２２と共に張弦方向（Ｘ軸方向）に並べて配置される。
長尺形状のネック４の先端のヘッドには、ペグが設けられており、弦５の先端部を巻き付けることができる。
【００２７】
ジャック座繰り２５は、ジャック６６（図３参照）を格納するための座繰りである。ジャック座繰り２５は、ボディ本体２の表面２ａにおいて、板厚方向（Ｚ軸方向）に開口している。
ジャック６６にはケーブルが挿入され、ジャック６６を経由してケーブルに電磁ピックアップ６１の出力である音響信号が出力される。
【００２８】
このように、ボディ本体２に形成される複数の座繰りは、各機能を満たすためにボディ本体２に形成された凹部であって、ボディ本体２に発生する振動を考慮して形成されたものではない。ボディ本体２においては、凹部によって局所的に剛性が低くなる箇所が現われる。ボディ本体２のうち剛性が低い箇所は他の箇所よりも振動の影響を受けやすいため、振動の変位が大きくなりやすい。
【００２９】
また、複数の座繰りは、張弦方向（Ｘ軸方向）に見て、弦５を中心とした線対称に形成されていない場合が多い。弦５の振動が、弦５を中心として、Ｙ軸方向に均等に伝達されることで、ボディ本体２にバランスのよい振動が生成されると考えられる。そのため、複数の座繰りが、張弦方向（Ｘ軸方向）に見て、弦５を中心とした線対称に形成されていない場合、座繰りが多い側に振動の変位が大きくなる箇所が偏って発生しやすいと考えられる。
【００３０】
ボディ本体２において、弦５よりＹ軸正方向側の半分（以降「ボディ本体上側」と称す）より、弦５よりＹ軸負方向側の半分（以降「ボディ本体下側」と称す）に、座繰りが多く形成されている。例えば、電装座繰り２１やジャック座繰り２５は、ボディ本体下側にのみ形成されている。そのため、ボディ本体下側に振動の変位が大きくなる箇所が偏って発生しやすいと考えられる。その結果、ボディ全体のモード形状のバランス（振動のバランス）が悪化する。
【００３１】
ボディ本体２のボディ本体下側には、ネック４が取り付けられるネック座繰り２３付近の一部を削り取ったカッタウェイ部２６が形成される。カッタウェイ部２６を形成することで、演奏者が弦５の基端側に触れやすくなり、演奏が容易になる。ボディ本体２において、図１および図３に示すように、ネック座繰り２３のＹ軸負方向側に、カッタウェイ部２６を形成することで、特に高音域の音の演奏が容易となる。
一方、このカッタウェイ部２６を形成することで、削られずに残った部分が凸状の第一突出部２７として形成される。
【００３２】
エレクトリックギター１０を立って演奏するために使用するストラップの両端を固定するストラップピン２８１、２８２が、ボディ本体２の二か所に設けられている。図３に示すように、第一ストラップピン２８１は、ボディ本体２のＸ軸方向の基端部（ネック座繰り２３が形成されるＸ軸方向の先端部と反対方向の端部）に取り付けられている。第二ストラップピン２８２（ストラップピン）は、第一突出部２７のネック４を挟んだ反対側に形成された第二突出部２９（取付部）に取り付けられている。
【００３３】
第一ストラップピン２８１と、第二ストラップピン２８２とに、ストラップを取り付けたときに、エレクトリックギター１０を安定して保持できるように、ストラップピン２８１、２８２の取り付け位置が決められている。第二突出部２９をボディ本体２に設けることで、第二ストラップピン２８２をネック４先端側に配置することができ、ストラップによりエレクトリックギター１０を安定して保持しやすくなる。
【００３４】
このように、第一突出部２７と、第二突出部２９とは、各機能を満たすためにボディ本体２に形成された凸部であって、ボディ本体２に発生する振動を考慮して形成されたものではない。ボディ本体２においては、凸部によって局所的に剛性が低くなる箇所が現われる。ボディ本体２のうち剛性が低い箇所は他の箇所よりも振動の影響を受けやすいため、振動の変位が大きくなりやすい。
【００３５】
また、第一突出部２７と、第二突出部２９とは、張弦方向（Ｘ軸方向）に見て、弦５を中心とした線対称に形成されていない場合が多い。第一突出部２７よりも突出している第二突出部２９の方が、剛性が低くなりやすく、より振動の影響を受けやすい。そのため、第一突出部２７と比べて、より突出している第二突出部２９の方に、振動の変位が大きくなる箇所が偏って発生しやすいと考えられる。その結果、ボディ全体のモード形状のバランス（振動のバランス）が悪化する。
【００３６】
電装座繰り用剛性補強材３１は、電装座繰り２１に設けられた剛性を補強する補強材である。電装座繰り用剛性補強材３１は、図１に示すように、電装座繰り２１の内側面のうち互いに離れて位置する第一接触領域２１１と、第二接触領域２１２とに対して、接触して剛性を補強するように両内側面（２１１、２１２）間に設けられている。そのため、ボディ１において、電装座繰り２１が形成された部位の剛性は高まる。電装座繰り用剛性補強材３１は、第一接触領域２１１と、第二接触領域２１２とに対して、接触して圧力を加えるように両内側面（２１１、２１２）間に設けられていてもよい。
【００３７】
電装座繰り用剛性補強材３１を設けることで、電装座繰り２１の形成によって低下したボディ本体２の剛性を補強により高めることができる。
低下していたボディ本体２の剛性を補強により高めることで、電装座繰り２１に発生していた大きな振動の変位を低減させることができる。
【００３８】
また、座繰りが多く形成されているボディ本体下側に形成された電装座繰り２１の剛性を高めることで、ボディ本体上側よりもボディ本体下側に振動の変位が大きくなる箇所が偏っていた振動バランスを改善できる。
その結果、弦５の振動がボディ１にバランスよく伝達され、ボディ１に豊かな振動を生み出すことができ、弦５やブリッジ６５にその振動をフィードバックすることができる。
【００３９】
電装座繰り用剛性補強材３１は、電装座繰り２１の内側面において、第一接触領域と第二接触領域との配列方向が、内側面において互いに対向する二つの領域の間の距離が最も長くなる方向と直交する方向（直交方向）となるように設けられることが好ましい。直交方向がボディ本体２において剛性が最も低下しやすい方向であるからである。この直交方向に電装座繰り用剛性補強材３１を設けることで、より好適に電装座繰り２１形成によって低下したボディ本体２の剛性を補強により高めることができる。
【００４０】
また、電装座繰り用剛性補強材３１は、電装座繰り２１の内側面のうち、二つ以上の領域と接していてもよい。多くの領域と接することで、より好適に電装座繰り２１形成によって低下したボディ本体２の剛性を補強により高めることができる。
【００４１】
凸部剛性補強材３２は、ボディ本体２の裏面２ｂに取り付けられた第二突出部２９の剛性を補強する補強材である。凸部剛性補強材３２は、第一の端部３２１と第二の端部３２２を有する帯状の板材であり、木材よりも剛性が高い。ここで、第一の端部３２１と第二の端部３２２とは、凸部剛性補強材３２の長手方向の両端部である。凸部剛性補強材３２は、凸部剛性補強材３２の板厚方向から見て湾曲している。第二突出部２９とボディ本体２の他の部分との接続部分（付根付近）に第一の端部３２１が固定されており、ボディ１の他の部分に第二の端部３２２が配置されている。第二突出部２９は、凸部剛性補強材３２によって剛性が高まる。
ここで、第二突出部２９とボディ本体２の他の部分との接続部分は、第二突出部２９形成によって局所的に剛性が低くなる箇所である。接続部分は形状が不連続な部分となるため、剛性は低下する。その接続部分に第一の端部３２１を固定することで、局所的に剛性が低くなった箇所の剛性は高まる。
【００４２】
凸部剛性補強材３２を設けることで、第二突出部２９形成によって低下したボディ本体２の剛性を補強により高めることができる。
低下していた剛性を補強により高めることで、第二突出部２９に発生していた大きな振動の変位を低減させることができる。
【００４３】
また、第二突出部２９の剛性を高めることで、第一突出部２７側よりも第二突出部２９側に振動の変位が大きくなる箇所が偏っていた振動バランスを改善できる。
その結果、弦５の振動がボディ１にバランスよく伝達され、ボディ１に豊かな振動を生み出すことができ、弦５やブリッジにその振動をフィードバックすることができる。
【００４４】
凸部剛性補強材３２の第一の端部３２１が、第二突出部２９の付根部分に近い場所に配置されていれば、第二の端部３２２は、第二突出部２９の近傍から離れたボディ本体２の部位に配置されていればよい。第一の端部３２１と第二の端部３２２とができる限り互いに遠く位置するように配置されている方が、第二突出部２９の剛性を好適に高めることができる。
例えば、第一の端部３２１と第二の端部３２２とが、ボディ本体２の板厚方向と直交する方向（例えば、Ｘ軸方向やＹ軸方向）のボディ本体２の中心軸（例えば、Ｘ軸方向のボディ本体中心軸ＣＸやＹ軸方向のボディ本体中心軸ＣＹ）を挟んで反対側に配置されていると、第二突出部２９の剛性をより好適に高めることができる。
ここで、凸部剛性補強材３２は、アーチ状でなく、長尺状であってもよい。
【００４５】
凸部剛性補強材３２は、張弦方向（Ｘ軸方向）と垂直な方向にも延びているため、第二突出部２９の剛性を補強する機能以外の機能も有する。凸部剛性補強材３２は、ボディ１にＹ軸方向に対する「曲げ」の振動が発生した際に、その「曲げ」の振動に対する剛性を高めることができる。
【００４６】
Ｙ軸方向への「曲げ」に対する剛性を高めることで、弦５の振動に特に影響を与える箇所であるブリッジ座繰り２４やネック座繰り２３が、振動モードにおける固有振動数の定在波の節になることを抑制できる。弦５の振動がボディ１に伝達されやすくなり、また、ボディ１の振動特性が弦の振動に悪影響を与えない。
【００４７】
このように構成されたエレクトリックギター１０において、演奏者は、電磁ピックアップ付近の弦５を弾くことで弦５に振動を発生させる。ここで弦５には、Ｚ軸方向とＹ軸方向に上下する振動が発生する。電磁ピックアップは、この振動を電磁誘導により電気信号に変換する。電気信号への変換においては、ボリュームスイッチ６２やピックアップセレクター６３などの制御を受ける。こうして変換された電気信号がジャック６６に挿入されたケーブルから出力される。
【００４８】
以上のように構成される本実施形態のエレクトリックギター１０のボディ１は、電装座繰り用剛性補強材３１を備えることにより、電装座繰り２１形成によって低下したボディ１の剛性を補強により高めることができる。
また、ボディ１が凸部剛性補強材３２を備えることにより、第二突出部２９の形成によって低下したボディ本体２の剛性を補強により高めることができる。
低下していたボディ本体２の剛性を補強により高めることで、電装座繰り２１や第二突出部２９に発生していた大きな振動の変位を低減させることができる。
【００４９】
座繰り（凹部）や突出部（凸部）が、張弦方向（Ｘ軸方向）に見て、弦５を中心とした線対称に形成されていない場合であっても、電装座繰り用剛性補強材３１や凸部剛性補強材３２を備えることで、ボディ１全体のモード形状のバランス（振動のバランス）を改善することができる。
その結果、弦５の振動がボディ１にバランスよく伝達され、ボディ１に豊かな振動を生み出すことができ、弦５やブリッジにその振動をフィードバックすることができる。
【００５０】
また、凸部剛性補強材３２は、張弦方向（Ｘ軸方向）と垂直な方向にも延びるように設けることで、Ｙ軸方向への「曲げ」に対する剛性を高めることができる。これにより、ブリッジ座繰り２４やネック座繰り２３が、振動モードにおける固有振動数の定在波の節になることを抑制できる。
【００５１】
これらの効果により、ボディ１を備えたエレクトリックギター１０は、弦５の振動特性を改善して音質を改善することができる。
【００５２】
（変形例）
以上、本発明の一実施形態について図面を参照して詳述したが、具体的な構成はこの実施形態に限られるものではなく、本発明の要旨を逸脱しない範囲の設計変更等も含まれる。また、上述の一実施形態および変形例において示した構成要素は適宜に組み合わせて構成することが可能である。
【００５３】
本発明の一実施形態として、エレクトリックギター１０を用いて説明を行ったが、本発明は、ソリッドボディを備える楽器、例えばエレクトリックベースギターにも同様の効果を発揮することができる。
【００５４】
ボディ１は、電装座繰り用剛性補強材３１と凸部剛性補強材３２のいずれか一つのみを備えていてもよい。また、電装座繰り２１以外の座繰りに電装座繰り用剛性補強材３１と同等の補強材を設けてもよい。座繰りの形成によって低下したボディ本体２の剛性を高めることができる。
【００５５】
ボディ本体の形状は、一実施形態で示したような一般的なエレクトリックギター１０のボディ１の形状に限られない。Ｖ字型のボディ形状のように凸部をさらに有するボディ形状であってもよい。このようなボディであっても、凸部剛性補強材３２を設けることで、上記実施形態と同様の効果を発揮することができる。
【００５６】
ボディ本体２と、ネック４は一体成形されていてもよい。ボディ本体２に、電装座繰り用剛性補強材３１もしくは凸部剛性補強材３２を設けることで、このような構成であっても、上記実施形態と同様の効果を発揮できる。
【００５７】
座繰りの内側面が、ボディ本体２の板厚方向（Ｚ軸方向）に平行でなく、斜めになるように形成されていてもよい。電装座繰り用剛性補強材３１は、斜めに形成された内側面に対して剛性を補強するように設けられていればよい。
【００５８】
凸部剛性補強材３２は、ボディ本体２の裏面２ｂに取り付けられているが、取り付け位置はこれに限られない。例えば、ボディ本体２の木材の内部に凸部剛性補強材３２を取り付けてもよい。例えば、複数の木材を重ね合わせてボディ本体２を形成する場合、第二突出部２９の剛性を補強するために、木材の間に木材より剛性が高い凸部剛性補強材３２を挟み込んでもよい。
この場合には、凸部剛性補強材３２が外部に露出しないため、凸部剛性補強材３２の取り付けによるエレクトリックギターの外観意匠の低下を防ぐことができる。
【００５９】
また、凸部剛性補強材３２は、ボディ本体２の裏面２ｂから側面や表面２ａまで延びていてもよい。さらに、表面２ａから裏面２ｂまで沿って延び、第二突出部２９の付根部分を囲むように設けられていてもよい。より好適に第二突出部２９の剛性を高めることができる。
【００６０】
凸部剛性補強材３２とは別に、第一の端部と第二の端部とを有する曲げ剛性補強材を設けてもよい。曲げ剛性補強材が張弦方向（Ｘ軸方向）とほぼ直交する方向に延びるように曲げ剛性補強材の第一の端部と第二の端部をＹ軸方向に並べて配列する。曲げ部用剛性補強材は、ボディ１にＹ軸方向に対する「曲げ」の振動が発生した際に、その「曲げ」の振動に対する剛性を高めることができる。
また、Ｙ軸方向への「曲げ」に対する剛性を高めることで、弦５の振動に特に影響を与える箇所であるブリッジ座繰り２４やネック座繰り２３が、振動モードにおける固有振動数の定在波の節になることを抑制できる。弦５の振動がボディ１に伝達されやすくなり、また、ボディ１の振動特性が弦の振動に悪影響を与えない。
【００６１】
次に、エレクトリックギター１０のボディ１に発生する「モード形状」のバランスをシミュレーションによって解析した結果について図４から図６を参照して説明する。
【００６２】
（１−１  シミュレーション設定）
ボディ本体２への電装座繰り用剛性補強材３１の取り付けの有無による、モード形状のバランスの変化を、シミュレーションによって解析した結果を図４に示す。ここで、凸部剛性補強材３２は、ボディ本体２に取り付けていない。
【００６３】
（１−２  シミュレーション結果）
図４にシミュレーションによって解析した結果を示す。図４は、ボディ本体２に発生するモード形状のうち、「ねじれ」が発生しているモード形状を示している。図４では、グレースケールにおいて、白い部分がより振動の変位が大きく、黒い部分がより振動の変位が小さいことを示している。
図４（ａ）は、ボディ本体２に電装座繰り用剛性補強材３１を取り付けていない場合のモード形状を示している。図４（ｂ）は、ボディ本体２に電装座繰り用剛性補強材３１を取り付けている場合のモード形状を示している。
【００６４】
図４（ａ）に示すように、ボディ本体２に電装座繰り用剛性補強材３１を取り付けていない場合、ボディ本体２のうち電装座繰り２１が形成された部位における振動の変位が大きい。
図４（ｂ）に示すように、ボディ本体２に電装座繰り用剛性補強材３１を取り付けた場合、電装座繰り２１が形成された部位における振動の変位が小さくなっている。電装座繰り２１が形成された部位に発生していた大きな振動の変位を低減させることができている。
【００６５】
また、ボディ本体２のモード形状のバランス（振動のバランス）が改善している。図４（ｂ）のモード形状の方が、張弦方向（Ｘ軸方向）に見て、弦５を中心とした線対称により近い形状となっている。
また、電装座繰り用剛性補強材３１を取り付けることで、第二突出部２９の先端部がより大きく振動するようになっている。
電装座繰り用剛性補強材３１を取り付けることにより、ボディ本体２に均等に振動が伝達されるようになったと考察される。
【００６６】
（２−１  シミュレーション設定）
次に、ボディ本体２への凸部剛性補強材３２の取り付けの有無による、モード形状のバランスの変化を、シミュレーションによって解析した結果を図５および図６に示す。ここで、電装座繰り用剛性補強材３１は、ボディ本体２に取り付けていない。
【００６７】
（２−２  シミュレーション結果）
図５にシミュレーションによって解析した結果を示す。図５は、ボディ本体２の表面２ａに発生するモード形状のうち、「ねじれ」が発生しているモード形状を示している。
図５（ａ）は、ボディ本体２に凸部剛性補強材３２を取り付けていない場合のモード形状を示している。図５（ｂ）は、ボディ本体２に凸部剛性補強材３２を取り付けている場合のモード形状を示している。
【００６８】
図５（ａ）に示すように、ボディ本体２に凸部剛性補強材３２を取り付けていない場合、第一突出部２７と比べて、より突出している第二突出部２９の方が、その先端部において、振動の変位が大きい。
図５（ｂ）に示すように、ボディ本体２に凸部剛性補強材３２を取り付けた場合、第二突出部２９の先端部の振動の変位が小さくなっている。さらに、第一突出部２７の先端部の振動の変位が大きくなっている。第二突出部２９に発生していた大きな振動の変位を低減させることができている。
【００６９】
また、ボディ本体２のモード形状のバランス（振動のバランス）が改善している。図５（ｂ）のモード形状の方が、張弦方向（Ｘ軸方向）に見て、弦５を中心とした線対称により近い形状となっている。ボディ本体２に均等に振動が伝達されるようになったと考察される。
【００７０】
（２−３  シミュレーション結果）
図６は、ボディ本体２の表面２ａに発生するモード形状のうち、Ｙ軸方向に「曲げ」が発生しているモード形状を示している。
図６（ａ）は、ボディ本体２に凸部剛性補強材３２を取り付けていない場合のモード形状を示している。図６（ｂ）は、ボディ本体２に凸部剛性補強材３２を取り付けている場合のモード形状を示している。
【００７１】
ボディ本体２のモード形状のバランス（振動のバランス）が改善している。図６（ｂ）のモード形状の方が、張弦方向（Ｘ軸方向）に見て、弦５を中心とした線対称により近い形状となっている。ボディ本体２に均等に振動が伝達されるようになったと考察される。
【００７２】
また、図６において、Ｙ軸方向に延びる濃いグレーで示される帯状の２本線が、本振動モードにおける固有振動数の定在波の節に相当する部分である。
図６（ａ）に示すように、ボディ本体２に凸部剛性補強材３２を取り付けていない場合、定在波の節に相当する部分が、電磁ピックアップ座繰り２２、ネック座繰り２３、ブリッジ座繰り２４の一部と重なっている。
図６（ｂ）に示すように、ボディ本体２に凸部剛性補強材３２を取り付けた場合、その重なっている部分の面積が小さくなっている。
凸部剛性補強材３２を、張弦方向（Ｘ軸方向）と垂直な方向にも延びるように設けることで、ネック座繰り２３、ブリッジ座繰り２４が振動モードにおける固有振動数の定在波の節に相当する部分と重なる領域を低減できたと考察される。
【符号の説明】
【００７３】
１…ボディ、１０…エレクトリックギター、２…ボディ本体、２１…電装座繰り、２７…第一突出部、２８１…第一ストラップピン、２８２…第二ストラップピン（ストラップピン）、２９…第二突出部（取付部）、３１…電装座繰り用剛性補強材（凹部剛性補強材）、３２…凸部剛性補強材、３２１…第一の端部、３２２…第二の端部、４…ネック、５…弦、Ｘ…Ｘ軸方向，ネックの長手方向，張弦方向、Ｙ…Ｙ軸方向、Ｚ…Ｚ軸方向，ボディ本体の板厚方向、ＣＸ…Ｘ軸方向のボディ本体中心軸、ＣＹ…Ｙ軸方向のボディ本体中心軸
【図１】
2018155814.tif 000003
【図２】
2018155814.tif 000004
【図３】
2018155814.tif 000005
【図４】
2018155814.tif 000006
【図５】
2018155814.tif 000007
【図６】
2018155814.tif 000008